(57)【要約】【課題】  サーバーコンピュータに応用されるＰＣＩライザーカード補助位置決め機構の提供。【解決手段】  サーバーコンピュータは底板、相互に離間し対向する二つの直立する固定フレーム、及びマザーボードを具え、該マザーボードの表面にＰＣＩライザーカードスロットが設けられて二つの固定フレームの間に介在し、二つの固定フレームの上端が折り曲げられて折板が形成され、該ＰＣＩライザーカード補助位置決め機構は、そのうち一つの折板に開設された第１位置決め孔と、もう一つの折板に開設された第２位置決め孔と、所定の位置にＰＣＩライザーカード、位置決めネジ孔、ネジ及び位置決めピンが設置されてＰＣＩライザーカードをＰＣＩライザーカードスロットに挿入できる補助フレームと、を具えている。【選択図】        図２
2006072954.tif 000002
【特許請求の範囲】
【請求項１】
サーバーコンピュータに応用されるペリフェラルコンポーネントインターコネクト（ＰＣ）ライザーカード補助位置決め機構において、該サーバーコンピュータは底板、相互に離間し対向する二つの直立する固定フレーム、及びマザーボードを具え、該マザーボードの表面にＰＣＩライザーカードスロットが設けられて二つの固定フレームの間に介在し、二つの固定フレームの上端が折り曲げられて折板が形成され、
ＰＣＩライザーカード補助位置決め機構は、
一方の折板に開設された第１位置決め孔と、
もう一方の折板に開設された第２位置決め孔と、
補助フレームであり、サーバーコンピュータの二つの固定フレームの二つの折板の間に跨設され、縦向板とＰＣＩライザーカードを具え、ＰＣＩライザーカードは該縦向板の下方に組付けられ並びに下向きに延伸され、該縦向板の一側に第１位置決め機構が設けられ、もう一側に下向きに延伸された位置決めピンが設けられ、且つ第１位置決め機構及び該位置決めピンがサーバーコンピュータの二つの固定フレームの第１、第２位置決め孔内にそれぞれ対応し挿入され、該ＰＣＩライザーカードが該ＰＣＩライザーカードスロット内に挿入されて電気的接続を形成する、上記補助フレームと、
を具えたことを特徴とする、サーバーコンピュータに応用されるペリフェラルコンポーネントインターコネクトライザーカード補助位置決め機構。
【請求項２】
請求項１記載のサーバーコンピュータに応用されるペリフェラルコンポーネントインターコネクトライザーカード補助位置決め機構において、第１位置決め機構が位置決めネジ孔とされて並びにネジに組み合わされて補助フレームを固定フレームに位置決めし並びに固定することを特徴とする、サーバーコンピュータに応用されるペリフェラルコンポーネントインターコネクトライザーカード補助位置決め機構。
【請求項３】
請求項１記載のサーバーコンピュータに応用されるペリフェラルコンポーネントインターコネクトライザーカード補助位置決め機構において、二つの固定フレームの二つの折板に挿入孔が開設され、且つ補助フレームの縦向板の二側端に下向きに延伸されたフックが延設され並びに二つの固定フレームの折板の二つの挿入孔に対応して係合することを特徴とする、サーバーコンピュータに応用されるペリフェラルコンポーネントインターコネクトライザーカード補助位置決め機構。
【請求項４】
請求項３記載のサーバーコンピュータに応用されるペリフェラルコンポーネントインターコネクトライザーカード補助位置決め機構において、補助フレームの縦向板の二側端の二つのフックが弾性フックとされたことを特徴とする、サーバーコンピュータに応用されるペリフェラルコンポーネントインターコネクトライザーカード補助位置決め機構。
【請求項５】
請求項１記載のサーバーコンピュータに応用されるペリフェラルコンポーネントインターコネクトライザーカード補助位置決め機構において、二つの固定フレームの二つの折板に凹んだ凹エリアが設けられ、この二つの凹エリア内に第１、第２位置決め孔が開設され、且つ補助フレームの二つの側端に凸片が凸設され、この二つの凸片がそれぞれ二つの凹エリア内に対応し跨設されることを特徴とする、サーバーコンピュータに応用されるペリフェラルコンポーネントインターコネクトライザーカード補助位置決め機構。
【発明の詳細な説明】
【技術分野】
【０００１】
本発明はペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ；以下、ＰＣＩと称する）ライザーカード補助位置決め機構に係り、特にサーバーコンピュータに適用されるＰＣＩライザーカード補助位置決め機構に関する。
【背景技術】
【０００２】
サーバーコンピュータは現在広く各企業で使用され、その特徴は、規格化された機体サイズにあり、統一管理されたマシンルームにあって、最大の土地利用効率を以てサーバーのメンテナンスを行なえる。
【０００３】
一般に、サーバーコンピュータのケースは扁平で、マシンフレームに出し入れするのに便利である。しかしその扁平な外形のために、内部空間の運用は大きな制限を受ける。一般にパーソナルコンピュータによく見られるＰＣＩスロットは、サーバーコンピュータでは良好な空間利用を行なうためにＰＣＩライザーカード（ＰＣＩ  ｒｉｓｅｒ  ｃａｒｄ）を利用しなければならない。三片式片側ＰＣＩライザーカードの案内はあまり重要ではなく、これは市場に既にある製品に見られる。ただし比較的大きな拡充性を有する６片式両側ＰＣＩライザーカードの案内は非常に重要で、なぜなら比較的多くの拡充スロットを使用するためにライザーカード上のＰＣＩスロットが全部満たされる時、使用者はＰＣＩライザーカードのゴールドフィンガーとマザーボード上のライザーカードスロットの対応位置を明らかに見分けることができず、案内がなかったり案内が不良であると、ＰＣＩライザーカードを挿入しにくくなり、更にはＰＣＩライザーカードとマザーボードを損傷することがあるためである。
【０００４】
図１に示されるように、ＰＣＩライザーカード１１はそのゴールドフィンガー１１１部分でマザーボード１２上のＰＣＩライザーカードスロット１２１に挿入され、ＰＣＩライザーカード１１自身の両面に複数のＰＣＩスロット１１２を具え、これによりＰＣＩライザーカード１１が垂直にＰＣＩライザーカードスロット１２１に挿入される時、拡充するその他のＰＣＩカード１１３は水平にＰＣＩスロット１１２中に挿入される。これにより、ＰＣＩライザーカード１１の全てのＰＣＩスロット１１２が満たされる時、使用者は目でゴールドフィンガー１１１とＰＣＩライザーカードスロット１２１の対応位置を確認することができず、使用者がＰＣＩライザーカード１１をＰＣＩライザーカードスロット１２１中に挿入するのに相当に不利であり、時間を消耗し、厳重な場合はゴールドフィンガー１１１とマザーボードの毀損をもたらした。
【発明の開示】
【発明が解決しようとする課題】
【０００５】
本発明の主要な目的は、一種のＰＣＩライザーカード補助位置決め機構を提供して、急速に正確にＰＣＩライザーカードをマザーボードに挿入、位置決めできるようにすることにある。
【課題を解決するための手段】
【０００６】
請求項１の発明は、サーバーコンピュータに応用されるペリフェラルコンポーネントインターコネクト（ＰＣ）ライザーカード補助位置決め機構において、該サーバーコンピュータは底板、相互に離間し対向する二つの直立する固定フレーム、及びマザーボードを具え、該マザーボードの表面にＰＣＩライザーカードスロットが設けられて二つの固定フレームの間に介在し、二つの固定フレームの上端が折り曲げられて折板が形成され、
ＰＣＩライザーカード補助位置決め機構は、
一方の折板に開設された第１位置決め孔と、
もう一方の折板に開設された第２位置決め孔と、
補助フレームであり、サーバーコンピュータの二つの固定フレームの二つの折板の間に跨設され、縦向板とＰＣＩライザーカードを具え、ＰＣＩライザーカードは該縦向板の下方に組付けられ並びに下向きに延伸され、該縦向板の一側に第１位置決め機構が設けられ、もう一側に下向きに延伸された位置決めピンが設けられ、且つ第１位置決め機構及び該位置決めピンがサーバーコンピュータの二つの固定フレームの第１、第２位置決め孔内にそれぞれ対応し挿入され、該ＰＣＩライザーカードが該ＰＣＩライザーカードスロット内に挿入されて電気的接続を形成する、上記補助フレームと、
を具えたことを特徴とする、サーバーコンピュータに応用されるペリフェラルコンポーネントインターコネクトライザーカード補助位置決め機構としている。
請求項２の発明は、請求項１記載のサーバーコンピュータに応用されるペリフェラルコンポーネントインターコネクトライザーカード補助位置決め機構において、第１位置決め機構が位置決めネジ孔とされて並びにネジに組み合わされて補助フレームを固定フレームに位置決めし並びに固定することを特徴とする、サーバーコンピュータに応用されるペリフェラルコンポーネントインターコネクトライザーカード補助位置決め機構としている。
請求項３の発明は、請求項１記載のサーバーコンピュータに応用されるペリフェラルコンポーネントインターコネクトライザーカード補助位置決め機構において、二つの固定フレームの二つの折板に挿入孔が開設され、且つ補助フレームの縦向板の二側端に下向きに延伸されたフックが延設され並びに二つの固定フレームの折板の二つの挿入孔に対応して係合することを特徴とする、サーバーコンピュータに応用されるペリフェラルコンポーネントインターコネクトライザーカード補助位置決め機構としている。
請求項４の発明は、請求項３記載のサーバーコンピュータに応用されるペリフェラルコンポーネントインターコネクトライザーカード補助位置決め機構において、補助フレームの縦向板の二側端の二つのフックが弾性フックとされたことを特徴とする、サーバーコンピュータに応用されるペリフェラルコンポーネントインターコネクトライザーカード補助位置決め機構としている。
請求項５の発明は、請求項１記載のサーバーコンピュータに応用されるペリフェラルコンポーネントインターコネクトライザーカード補助位置決め機構において、二つの固定フレームの二つの折板に凹んだ凹エリアが設けられ、この二つの凹エリア内に第１、第２位置決め孔が開設され、且つ補助フレームの二つの側端に凸片が凸設され、この二つの凸片がそれぞれ二つの凹エリア内に対応し跨設されることを特徴とする、サーバーコンピュータに応用されるペリフェラルコンポーネントインターコネクトライザーカード補助位置決め機構としている。
【発明の効果】
【０００７】
ＰＣＩライザーカードが余分のライザーカードで満たされている時、使用者が正確且つ速やかにこのＰＣＩライザーカードをマザーボードのＰＣＩライザーカードスロットに挿入する困難度が増すが、本発明によると、位置決めピンと位置決め孔の結合関係に、ＰＣＩライザーカードのゴールドフィンガーとＰＣＩライザーカードスロットの関係が組み合わされることで、大幅に使用者の取付時間を減らすことができ、また誤った挿入により形成される機会の損害を減らすことができる。
【発明を実施するための最良の形態】
【０００８】
本発明はサーバーコンピュータに応用されるＰＣＩライザーカード補助位置決め機構を提供し、該サーバーコンピュータは、底板、相互に離間し対向する二つの直立する固定フレーム、及びマザーボードを具え、該マザーボードの表面にＰＣＩライザーカードスロットが設けられて二つの固定フレームの間に介在し、二つの固定フレームの上端が折り曲げられて折板が形成されている。該ＰＣＩライザーカード補助位置決め機構は、そのうち一つの折板に開設された第１位置決め孔と、もう一つの折板に開設された第２位置決め孔と、サーバーコンピュータの二つの固定フレームの二つの折板の間に跨設された補助フレームとを具えている。該補助フレームは、縦向板とＰＣＩライザーカードを具え、ＰＣＩライザーカードは該縦向板の下方に組付けられ並びに下向きに延伸され、該縦向板の一側に第１位置決め機構が設けられ、もう一側に下向きに延伸された位置決めピンが設けられ、且つ第１位置決め機構及び該位置決めピンがサーバーコンピュータの二つの固定フレームの第１、第２位置決め孔内に対応し挿入され、該ＰＣＩライザーカードが該ＰＣＩライザーカードスロット内に挿入されて電気的接続を形成する。
【０００９】
言い換えると、本発明の提供するＰＣＩライザーカード補助位置決め機構は、サーバーの固定フレームの特定位置に位置決め孔が設けられ、またＰＣＩライザーカード上の対応位置に位置決めピンが設けられ、各案内構造の案内作用がＰＣＩライザーカードのゴールドフィンガーとＰＣＩライザーカードスロットを接触させる前に、案内構造が効果を発生し、ＰＣＩライザーカードのＰＣＩライザーカードスロット内への挿入を保証する。これにより、予め設置された位置決め孔、位置決めピンの、ＰＣＩライザーカードがゴールドフィンガーとＰＣＩライザーカードスロットの位置に対応することにより、使用者は位置決めピンと位置決め孔の結合を確認するだけでよく、急速且つ正確にＰＣＩライザーカードをＰＣＩライザーカードスロットに挿入できる。
【実施例１】
【００１０】
図２は本発明の実施例の表示図である。サーバーコンピュータは、底板５、相互に対応するよう設置された二つの直立する固定フレーム２、３、及びマザーボード５１を具え、該マザーボード５１は底板５の上方に底板５に平行に組付けられ、該マザーボード５１の上表面にＰＣＩライザーカードスロット５３が設けられてそれは二つの固定フレーム２、３の間に介在し、並びに縦長方向に沿って延伸され、この縦長方向固定フレーム２よりもう一つの固定フレーム３に向かう方向であり、該二つの固定フレーム２、３はそれぞれその上端が折り曲げられて折板２０、３０が設けられている。二つの固定フレーム２、３の二つの折板２０、３０には更に凹エリア２２、３２が凹設され、二つの凹エリア２２、３２内に第１、第２位置決め孔２１、３１が開設されている。
【００１１】
このほか、図中には更に補助フレーム４が示され、それは該サーバーコンピュータの二つの固定フレームの二つの折板２０、３０の間に跨設され、該補助フレームは縦向板４０、及びＰＣＩライザーカード４３を具えている。該ＰＣＩライザーカード４３は該縦向板４０の下方に組付けられ並びに下向きに延伸され且つゴールドフィンガーエリア４３１を具え、且つ補助フレーム４の二側に突出する凸片４１０、４２０が設けられ、この二つの凸片４１０、４２０は二つの折板２０、３０の二つの凹エリア２２、３２内に対応し、該凸片４１０にあって第１位置決め孔２１に対応する部分に位置決めネジ孔４１が設けられ、該位置決めネジ孔４１は並びにネジ４１１に対応し、且つ該凸片４２０の下表面に下向きに延伸された位置決めピン４２が設けられている。該ＰＣＩライザーカード４３は該ＰＣＩライザーカードスロット５３内に挿入され電気的接続を形成する。
【００１２】
使用者がこのＰＣＩライザーカード４３をマザーボード５１のＰＣＩライザーカードスロット５３に挿入する時は、従来の技術のように使用者が視覚によりゴールドフィンガー４３１とＰＣＩライザーカードスロット５３の対応関係をアライメントさせる必要がなく、先に位置決めピン４２を固定フレーム３の第２位置決め孔３１に挿入し、続いてネジ４１１を位置決めネジ孔４１に通して第１位置決め孔２１中に挿入し、並びに位置決めネジ孔４１、位置決めピン４２及びゴールドフィンガー４３１の三つの部分の位置が、製造時に正確に第１位置決め孔２１、第２位置決め孔３１及びＰＣＩライザーカードスロット５３に対応する位置とされ、これにより使用者は簡単に位置決めピンと位置決め孔のアライメントを行なえ、急速に正確に挿入する目的を達成できる。
【００１３】
ＰＣＩライザーカードの固定性を増すため、本発明はまた凸片４２０付近に貫通孔４２１が開設され、並びに固定フレーム３の対応部分に固定ネジフレーム３４が設置され、これにより、ネジ４２２を貫通孔４２１に通してネジフレーム３４に固定することができる。このような方式により補助フレーム４が強固に固定フレーム２、３に固定される。
【００１４】
更に、図３に示されるように、簡単快速にアライメントできると共に、本発明は誤差を減らす方式を提供している。図示されるように、位置決めピン４２は円柱状を呈し、且つそれに対応する第２位置決め孔３１もまた円柱状を呈する。しかし本発明の設計理念は、先に位置決めピン４２で横向き（長軸）方向の位置決めを行ない、更に位置決めネジ孔４１及びネジ４１１による固定を行なうため、横向きに偏差を発生しにくく、更にＰＣＩライザーカード４３をＰＣＩライザーカードスロット５３に整合させてそれに挿入することができるようにすることにある。このため位置決めピン４２を挿入する時に、Ｘ−Ｙの二つの軸方向のいずれも自由に挿入できるが、一旦位置決めピン４２を挿入、位置決めした後は、位置決めピン４２を円の中心として回転させると、位置決めネジ孔４１には僅かに一次元の自由度しか残されず、ＰＣＩライザーカードが二つの位置決めピンの間で相対移動してアライメントの精度を失うのを防止できる。
【００１５】
このほか、図２から分かるように、二つの固定フレームの二つの折板２０、３０には挿入孔２３、３３が開設され、且つ補助フレームの縦向板４０の二つの側端に下向きに延伸されたフック４４が設けられ並びにそれぞれ二つの固定フレーム２、３の折板２０、３０の挿入孔２３、３３内に対応し挿入されて係合し、これにより更にＰＣＩライザーカード４３とＰＣＩライザーカードスロット５３の強固な結合が達成される。このフック４４の材質に制限はないが、弾性材料で構成されるのが好ましい。
【００１６】
以上の実施例は本発明の実施範囲を限定するものではなく、上述の実施例及び図面の記載に基づきなしうる細部の修飾或いは改変は、いずれも本発明の請求範囲に属するものとする。
【図面の簡単な説明】
【００１７】
【図１】周知のＰＣＩライザーカードの表示図である。
【図２】本発明の実施例の組立表示図である。
【図３】本発明の実施例の部分拡大図である。
【符号の説明】
【００１８】
１１  ＰＣＩライザーカード              １１１  ゴールドフィンガー
１１２  ＰＣＩスロット                  １１３  ＰＣＩライザーカード
１２  マザーボード                      １２１  ＰＣＩライザーカードスロット
２  固定フレーム                        ２０  折板
２１  第１位置決め孔                    ２２  凹エリア
２３  挿入孔
３  固定フレーム                        ３０  折板
３１  第２位置決め孔                    ３２  凹エリア
３３  挿入孔                            ３４  ネジフレーム
４  補助フレーム                        ４０  縦向板
４１  位置決めネジ孔                    ４１０  凸片
４２１  貫通孔                          ４２０  凸片
４３  ＰＣＩライザーカード              ４３１  ゴールドフィンガー
４４  フック
５  底板                                ５１  マザーボード
５３  ＰＣＩライザーカードスロット
【図１】
2006072954.tif 000003
【図２】
2006072954.tif 000004
【図３】
2006072954.tif 000005